(57)【特許請求の範囲】
【請求項１】
筒状胴部の端部において、外フラップと内フラップとが接着しており、かつ、第一のサイドフラップおよび第二のサイドフラップが対向する位置に設けられたカートンであって、
内方に倒された前記第一のサイドフラップおよび第二のサイドフラップの外面に前記内フラップが重なるように配置され、
前記内フラップの外面に前記外フラップが重ねられて接着され、
前記第一のサイドフラップには、外側に向かって突出する第一の盛上り部が設けられ、
前記第二のサイドフラップには、外側に向かって突出する第二の盛上り部が設けられ、
前記内フラップには、第一の貫通孔および第二の貫通孔が設けられ、
前記第一の盛上り部は、前記第一の貫通孔内に配置され、
前記第二の盛上り部は、前記第二の貫通孔内に配置され、
前記第一の盛上り部および前記第二の盛上り部の外表面と前記内フラップの外表面とが略面一であり、かつ前記第一の盛上り部の外表面および前記第二の盛上り部の外表面と前記内フラップの外表面の三者がこれらに共通する単一の接着層を介して前記外フラップの内面と接着していることを特徴とするカートン。
【請求項２】
前記第一の盛上り部および前記第二の盛上り部がエンボスにより設けられていることを特徴とする請求項１に記載のカートン。
【発明の詳細な説明】
【技術分野】
【０００１】
本発明は、カートンに関するものである。
【背景技術】
【０００２】
各種商品を収める容器としてブランクを組み起こしてなるカートンが従来から利用されてきた。カートンの形状は色々あるが、多く使用されているカートンのうちの一つには、４つの面板を筒状にした胴部の開放端部にそれぞれの面板に連設されているフラップをそれぞれ内方に折って重ね合わせ、外側の外フラップをその内側の内フラップに接着して閉鎖したカートンがある。
【０００３】
その開放端部の閉鎖には、対向する位置に設けられた小さい一対のサイドフラップを折り倒し、対向する別の位置に設けられた外フラップと内フラップのうち、内フラップをサイドフラップの上に折り重ね、さらに外フラップを内フラップの上に折り重ねて、その外フラップを内フラップに接着する構造が採用されている。
【０００４】
このような構造のカートンでは、接着した外フラップと内フラップが外側に湾曲し、サイドフラップとの間に隙間が開き易くなっている。その対策として、サイドフラップに連設している面板の近傍に所定の幅の膨出部を設け、また、内フラップに膨出部と重合する箇所に逃げ切欠を設け、サイドフラップの膨出部と内フラップの基端に沿って接着剤を塗布し、サイドフラップの膨出部と外フラップを接着し、さらに、内フラップと外フラップを接着して、隙間が開きにくくした包装容器がある（特許文献１）。
【０００５】
上記の包装容器では、外フラップと内フラップ、サイドフラップが接着されていて、胴部に圧力が加わってもカートンが変形しにくく、つぶれにくく隙間からの異物混入が防止できる。
【先行技術文献】
【特許文献】
【０００６】
【特許文献１】実公昭５５−０３９７８５号公報
【発明の概要】
【発明が解決しようとする課題】
【０００７】
しかし、上記の包装容器においては、接着剤を所定の位置に精密に塗布することは、製函（充填）機で自動的に塗布する場合、難しく、製函速度にも影響し、コスト的にも困難が生じるなどの課題がある。
【０００８】
本発明は上記のような事情に鑑みてなされたもので、胴部に圧力が加わってもカートンが変形しにくく、隙間ができにくくて異物混入の恐れがなく、また、製函のとき、接着剤の塗布しやすいカートンを提供することを課題としている。
【課題を解決するための手段】
【０００９】
本発明は係る課題に鑑みなされたものであり、請求項１の発明は、筒状胴部の端部において、外フラップと内フラップとが接着しており、かつ、第一のサイドフラップおよび第二のサイドフラップが対向する位置に設けられたカートンであって、
内方に倒された前記第一のサイドフラップおよび第二のサイドフラップの外面に前記内フラップが重なるように配置され、
前記内フラップの外面に前記外フラップが重ねられて接着され、
前記第一のサイドフラップには、外側に向かって突出する第一の盛上り部が設けられ、
前記第二のサイドフラップには、外側に向かって突出する第二の盛上り部が設けられ、
前記内フラップには、第一の貫通孔および第二の貫通孔が設けられ、
前記第一の盛上り部は、前記第一の貫通孔内に配置され、
前記第二の盛上り部は、前記第二の貫通孔内に配置され、
前記第一の盛上り部および前記第二の盛上り部の外表面と前記内フラップの外表面とが略面一であり、かつ前記第一の盛上り部の外表面および前記第二の盛上り部の外表面と前記内フラップの外表面の三者がこれらに共通する単一の接着層を介して前記外フラップの内面と接着していることを特徴とするカートンである。
【００１０】
本発明の包装袋は、以上のような構成であって、胴部に圧力が加わってもカートンが変形しにくく、隙間ができにくくて異物混入の恐れがなく、また、製函のとき、接着剤の塗布が行いやすい。
【００１１】
本発明の請求項２の発明は、前記第一の盛上り部および前記第二の盛上り部がエンボスにより設けられていることを特徴とする請求項１に記載のカートンである。
【００１２】
本発明は、前記盛上り部がエンボスにより設けられているので、簡単に盛上り部を形成することができる。
【発明の効果】
【００１３】
本発明のカートンは、胴部に圧力が加わっても変形しにくく、隙間ができにくくて異物混入の恐れがなく、また、製函のとき、接着剤の塗布がしやすい。
【図面の簡単な説明】
【００１４】
【図１】本発明のカートンの一例のフラップが開いた状態を模式的に示した説明図である。
【図２】本発明のカートンの一例のフラップの接着方法を模式的に示した説明図である。
【図３】本発明のカートンの一例のフラップが接着された状態を模式的に示した説明図である。
【図４】本発明のカートンの一例のブランクを模式的に示した説明図である。
【図５】本発明のカートンの一例を組み立てたものを模式的に示した説明図である。
【図６】本発明のカートンの一例で、胴部の面板に設けられた易切断線を切断し開封した状態を模式的に示した説明図である。
【発明を実施するための形態】
【００１５】
以下、本発明を実施するための形態について説明する。
【００１６】
本例のカートン１００は、図１の斜視図に示すように、正面板１、背面板２、左面板３、右面板４からなる角筒状の胴部の開放端部において、対向する位置に配置された外フラップ５と内フラップ６、及び、対向する位置に配置された左サイドフラップ７と右サイドフラップ８が設けられている。
【００１７】
左サイドフラップ７と右サイドフラップ８には、外側に突出する盛上り部９、９が設けられている。また、内フラップ６に貫通孔１０、１０が設けられている。角筒状の胴部の開放端部を塞ぐには、まず、左サイドフラップ７と右サイドフラップ８を内方に倒し、更に内フラップ６を内方に倒す。
【００１８】
このとき、盛上り部９、９は、貫通孔１０、１０に位置し、盛上り部９、９の表面は、内フラップ６の表面と略面一になっている。そして、図２のように、接着剤を、貫通孔１０、１０に位置した盛上り部９、９を含めて、内フラップ６に塗布し、接着層１１を設ける。
【００１９】
さらに、外フラップ５を内方に倒して、接着層１１に重ね合わせて接着し、この開放端部を封止する。このときのフラップの接着状況を図３の断面図に示す。このように、外フラップ５と内フラップ６が接着しているだけではなく、外フラップ５と左サイドフラップ７および右サイドフラップ８とが接着してしっかりと固定化されることから、胴部に圧力が加わっても左面板３および右面板４の動きが制限されるため、カートン１００が変形し
にくい。特に、内容物が食品などの場合、内容物が充填された複数のカートンを集積してシュリンクフィルムで包んで出荷し、販売店舗の店頭において同フィルムを引き裂き、販売棚にカートンを陳列して販売されることが多く、フィルムの引き裂きのときに、胴部に圧力が加わり、カートンの変形が発生しやすい。しかし、本発明の構造を採用することにより、このようなケースおいても変形を防止することができる。
【００２０】
また、外フラップ５と左サイドフラップ７および右サイドフラップ８とが接着して固定されることで、開放端部に隙間が生じにくく異物混入の恐れがない。さらに、内フラップ６に設けられた貫通孔１０、１０の内側に、左サイドフラップ７と右サイドフラップ８の盛上り部９、９が位置しているので、接着するときに、細かな見当を合わせる必要がなく、一回の塗布で設けることができるので、カートニングマシーンで通常の工程で糊付けすることができ、接着剤の塗布が行いやすい。また、内フラップ６との盛上り部９、９の表面が面一になっているので、接着剤を塗布するときに、塗布面の凹凸に起因する塗布不良が起こることがない。
【００２１】
そのうえ、万一、外フラップ５と左サイドフラップ７若しくは右サイドフラップ８との接着が外れたとしても、盛上り部は貫通孔によって移動が制限されるため、胴部に圧力が加わったとしても、カートンの変形は生じにくい。
【００２２】
図４に示すように、本例のカートン１００は、厚紙や段ボールなどのシートからなり、ブランク１０１から組み立てる。尚、一点鎖線は折罫を示す。
【００２３】
ブランク１０１は、上下中央に右から、右面板４、正面板１、左面板３、背面板２、貼着板１２がそれぞれ折罫を介して設けられている。右面板４の上端には折罫を介し右サイドフラップ８が設けられ、下端には折罫を介し右下サイドフラップ１６が設けられている。また、右サイドフラップ８には、外側に突出する盛上り部９が設けられている。
【００２４】
正面板１の上端には折罫を介して外フラップ５が設けられ、下端には折罫を介して外下フラップ１３が設けられている。左面板３の上端には折罫を介して左サイドフラップ７が設けられ、下端には折罫を介して左下サイドフラップ１５が設けられている。また、左サイドフラップ７には、外側に突出する盛上り部９が設けられている。
【００２５】
背面板２の上端には折罫を介し内フラップ６が設けられ、下端には折罫を介し内下フラップ１４が設けられている。内フラップ６には貫通孔１０、１０が設けられている。貫通孔１０、１０は、製函時に左サイドフラップ７と右サイドフラップ８を内側に倒し、その上に内フラップ６を内側に倒して重ねたときに、左サイドフラップ７と右サイドフラップ８の盛上り部９、９が貫通孔１０、１０に位置するように設けられている。
【００２６】
背面板２には易切断線１７が設けられている。易切断線１７は、例えばその両端が開放端部に設けられた内フラップ６との間の接続部の折罫の左右両端に位置していて、両端より背面板２と左面板３の間の接続部、及び、背面板２と貼着板１２の間の接続部を通り、途中で背面板２の内方の左右中央方向の下方に進み、左右中央で指が入れられるような曲線状になっている。易切断線１７全体としては、内下フラップ１４に向けて凸形状になっている。
【００２７】
盛上り部９、９は、シートを更に貼って設けたりしてもよいが、本例では、両面に型を当てて押圧して、エンボスにより設けている。また、貫通孔１０、１０は、外形を打ち抜き折罫を設けるときに、同時に設けることとしても良い。また、易切断線１７も抜き刃を用いて同時に設けることとしても良い。
【００２８】
このブランク１０１からカートン１００を組み立てるには、図５に示すように、背面板２と左面板３の間の折罫で折って、更に、正面板１と右面板４の間の折罫で折り、貼着板１２の表面に、重なった右面板４の裏面を、貼着する。
【００２９】
上記のように貼り合わせたものを起こすことで、図１のように、正面板１、背面板２、左面板３、右面板４からなる胴部が角筒状に形成される。そして、左サイドフラップ７と右サイドフラップ８を内方に倒し、更に内フラップ６を内方に倒す。
【００３０】
このようにすると、左サイドフラップ７と右サイドフラップ８に設けた盛上り部９、９が、内フラップ６に設けた貫通孔１０、１０の内部入り込み、盛上り部９、９の表面が、内フラップ６の表面が略面一になる。かかる状態で、接着剤を塗布し、接着層１１を設け、外フラップ５を内方に倒し、接着層１１の面に重ね、接着することで、図２に示すように、盛上り部９、９の表面が外フラップ５に直に接着される。
【００３１】
内容物を充填するには、胴部の反対側の開放端部より、内容物を挿入する。挿入後、左下サイドフラップ１５と右下サイドフラップ１６を内方に倒し、その上に重ねるように内下フラップ１４を内方に倒し、内下フラップ１４の表面に接着剤を付けて、外下フラップ１３を内方に倒し、内下フラップ１４に接着する。これにより、内容物が収納されたカートン１００が製函される。
【００３２】
このカートン１００を開けるには、易切断線１７を切断し、持ち上げて外フラップ５
側に倒す。これにより、図６のように、カートン１００が開かれ、中の内容物を取り出せるようになる。
【００３３】
開いた状態で、左サイドフラップ７と右サイドフラップ８は、盛上り部９、９で、内フラップ６の貫通孔１０、１０を通して、外フラップ５に接着しているので、内容物が減っても内側に折れ曲がってくることがなく、邪魔にならない。
【００３４】
以上のように、本発明のカートンは、胴部に圧力が加わってもカートンが変形しにくく、封止した胴部の開放端部に隙間ができにくくて異物混入の恐れがない。また、製函のとき、接着剤の塗布が行いやすい。そして、盛上り部をエンボスにより設けることで、簡単に盛上り部を形成することができる。
【００３５】
なお、盛上り部および貫通孔の形状は、円形状に限定されず、例えば、楕円状、三角形状、四角形状、多角形状であっても良い。図２に示すように、帯状に接着層１１を設ける場合、例えば、盛上り部を三角形状として、その２つの頂点を結ぶ方向が、接着層の延伸する方向にほぼ一致するように配置することとしても良い。当該２つの頂点を結ぶ位置が接着層に重なることで、接着層の位置が、延伸方向に交差する方向へズレたとしても、盛上り部が外フラップに確実に接着できる。
【００３６】
なお、本実施例において、正面板１と外フラップ５との間に折罫を設けているものの、必ずしも設けなくても良い。この場合、左面板３と左サイドフラップ７との間の折罫及び右面板４と右サイドフラップ８との間の折罫を円弧状にすることで、正面板１と外フラップ５との間に曲面が得られ、意匠性が向上する。このような形状とすると、胴部へわずかな圧力を加えただけでカートンが変形しやすくなるものの、本発明の構造を採用することで、変形しにくくすることができる。また、曲面とすることで、左面板および右面板との間に隙間が生じやすくなるが、サイドフラップが外フラップに直に接着することで、隙間が生じにくく、異物混入を防止することができる。
【符号の説明】
【００３７】
１００・・・カートン
１０１・・・ブランク
１・・・正面板
２・・・背面板
３・・・左面板
４・・・右面板
５・・・外フラップ
６・・・内フラップ
７・・・左サイドフラップ
８・・・右サイドフラップ
９・・・盛上り部
１０・・・貫通孔
１１・・・接着層
１２・・・貼着板
１３・・・外下フラップ
１４・・・内下フラップ
１５・・・左下サイドフラップ
１６・・・右下サイドフラップ
１７・・・易切断線
【図１】
0006682775.tif 000002
【図２】
0006682775.tif 000003
【図３】
0006682775.tif 000004
【図４】
0006682775.tif 000005
【図５】
0006682775.tif 000006
【図６】
0006682775.tif 000007